(57)【要約】【課題】毛髪にウェーブをかけたときのリッチ（カール感、質感）に変化を加え、様々なヘアスタイルを実現可能なパーマ用ロッドを提供する。【解決手段】パーマ用ロッド１，２は、四角柱１１又は三角柱２１の長手方向の両端に輪ゴムを渡しかける凹部１２，２２が形成されている。角柱体の横断面の角部は、隣接する側面間と曲面を形成しない鋭角状を呈しており、角部に丸みを生じていないことから、角柱体に髪を巻き付けた際に、角部からの応力が強くなり、従来丸みを帯びていたロッドを使用したときと比較して、リッチが異なるヘアスタイルを実現する。特に、五角形や六角形といった円形に近づく横断面よりも、三角形や四角形の方が角部からの応力が強く、局所的に角部が強調された立体感のあるウェーブを形成することができる。【選択図】図１
2016116866.tif 000002
【特許請求の範囲】
【請求項１】
棒状の角柱体と、前記角柱体の長手方向両端に形成された凹部と、からなるパーマ用ロッドであって、
前記角柱体の横断面の角部は、隣接する側面間と曲面を形成しない角状を呈することを特徴とするパーマ用ロッド。
【請求項２】
前記角柱体は、幅広面と幅狭面とで構成される直方型の平板プレートであって、
前記幅広面は平滑条で、長手方向両端に前記凹部が形成されており、
前記幅狭面は凹凸条であることを特徴とする請求項１記載のパーマ用ロッド。
【請求項３】
前記角柱体の側面は、長手方向両端から中央にかけて凹状に湾曲していることを特徴とする請求項１又は２記載のパーマ用ロッド。
【請求項４】
前記角柱体は、パーマ液の塗布及び／又は表面温度の変化により変色可能な素材で形成されていることを特徴とする請求項１から３のいずれか記載のパーマ用ロッド。
【請求項５】
前記角柱体は、三角形又は四角形の横断面を有することを特徴とする請求項１から４のいずれか記載のパーマ用ロッド。
【請求項６】
請求項１から５のいずれか記載のパーマ用ロッドを複数対向配置して髪を挟み込むことを特徴とするパーマ用ロッドの使用方法。
【発明の詳細な説明】
【技術分野】
【０００１】
本発明は、毛髪にウェーブをかける際に髪を巻き付けるパーマ用ロッド及びその使用方法に関する。
【背景技術】
【０００２】
毛髪にウェーブをかける際に使用されるパーマ用ロッドとして種々のものが存在しており、従来から多く使用されているロッドは、円筒形状のものがある（図７）。図７に示すロッドは、両端部に輪ゴム止めとして突起部が形成されており、ロッドに髪を巻き付けた後、ロッドの両端の突起部に輪ゴムを渡しかけてロッドと髪を固定する。
【０００３】
また、円筒形状以外にも角柱形状を有するロッドが存在しており、特許文献１には四角形状が、特許文献２には６角形乃至８角形がそれぞれ開示されており、いずれも角部は丸みを有しているものである。
【先行技術文献】
【特許文献】
【０００４】
【特許文献１】特開２０１１−１８３０１０号公報（請求項１、段落［００１３］）
【特許文献２】実開昭５７−２０２８０１号公報（請求の範囲第４項）
【発明の概要】
【発明が解決しようとする課題】
【０００５】
このように、従来のロッドは長手方向に丸みを有しており、毛髪がロッドに巻かれたときに、角部が毛髪にダメージを与えてしまうことを防止していた。また、ダメージが大きくなることを防ぐため、鋭角が小さい三角形はなく、角部が多い五角形以上の多角形はより円形に近づけるように丸みを有しているものがほとんどであった。
【０００６】
一方で、バリエーションが豊かで変化に富むパーマネントウェーブを希望する者も多く、従来にない新規形状のロッドを使用して毛髪にウェーブをかけることで、様々なヘアスタイルを提供することができるようになる。
【０００７】
本発明は、このような点に鑑みてなされたものであり、その目的は、毛髪にウェーブをかけたときのリッチ（カール感、質感）に変化を加え、様々なヘアスタイルを実現可能なパーマ用ロッドを提供することにある。
【課題を解決するための手段】
【０００８】
上記課題を解決するために、本発明は、以下のものを提供する。
【０００９】
（１）  棒状の角柱体と、前記角柱体の長手方向両端に形成された凹部と、からなるパーマ用ロッドであって、前記角柱体の横断面の角部は、隣接する側面間と曲面を形成しない角状を呈することを特徴とするパーマ用ロッド。
【００１０】
本発明によれば、角柱体の横断面の角部は、隣接する側面間と曲面を形成しない角状（鋭角状、直角状）を呈して角部に丸みを帯びていないことから、角柱体に髪を巻き付けた際に髪に加わる応力がより強くなり、従来丸みを帯びていたロッドを使用したときと比較して、リッチが異なるヘアスタイルを実現することができる。
【００１１】
また、隣接する側面間との角部は、髪に加わるより強い応力によって、パーマのかかりにくい髪質にも対応でき、パーマがダレにくいという点で優れている。
【００１２】
（２）  前記角柱体は、幅広面と幅狭面とで構成される直方型の平板プレートであって、前記幅広面は平滑条で、長手方向両端に前記凹部が形成されており、前記幅狭面は凹凸条であることを特徴とするパーマ用ロッド。
【００１３】
本発明によれば、幅広面は平滑条で、幅狭面は凹凸条であることから、幅広面に髪をあてがい、平滑であることから髪の引っ掛かりがなく、髪の位置を調整するのに適しており、幅狭面を利用して髪を巻いていくことで、凹凸条で髪が引っ掛かって固定しやすくなる。
【００１４】
（３）  前記角柱体の側面は、長手方向両端から中央にかけて凹状に湾曲していることを特徴とするパーマ用ロッド。
【００１５】
本発明によれば、角柱体の両端から中央にかけての周囲長が異なり、角柱体に髪を巻き付けた際に髪に加わる応力が部分的に異なることから、髪の根本から毛先にかけて均一なウェーブ仕上がりではなく、部分的にリッチが異なるヘアスタイルを実現することができる。また、髪の根本は両端近傍に巻き付け、髪の毛先は中央近傍に巻き付けるなど、髪質に応じた使用を提供することができる。なお、凸状に湾曲しているよりも凹状に湾曲している方が、角部から髪に加わる応力が大きく好適である。
【００１６】
（４）  前記角柱体は、パーマ液の塗布及び／又は表面温度の変化により変色可能な素材で形成されていることを特徴とするパーマ用ロッド。
【００１７】
本発明によれば、パーマ液の塗布・浸透により変色可能な角柱体であることから、変色作用によってパーマ液の付け忘れを防止したり、パーマ液を付けてからの放置時間の目安にすることができる。また、表面温度の変化により変色可能な角柱体であることから、パーマ中の浸透温度や乾燥温度の適正化に資することができる。
【００１８】
また、パーマ液の浸透具合や表面温度の変化具合を間近にウォッチすることで、パーマ液を付けてからの放置時間や温度を適正に管理することから、毛髪に与えるダメージを抑えるのに資することができる。
【００１９】
さらに、パーマセットしてドライヤーや赤外ヒーター等による加温を髪に施す際、パーマ用ロッドの表面温度の変化により適切な加温ができていることを視認することができ、また、可逆変化によって元の色に戻ることから、加温後放置して冷却することの目安を視認することができる。
【００２０】
（５）  前記角柱体は、三角形又は四角形の横断面を有することを特徴とするパーマ用ロッド。
【００２１】
本発明によれば、三角形の横断面を有する三角柱や、四角形（長方形、正方形）の横断面を有する四角柱（平薄板を含む）によって、リッチが異なるヘアスタイルを実現することができる。特に、五角形や六角形といった円形に近づく横断面よりも、三角形や四角形の方が丸みを帯びていない角部からの応力が強くなることから、局所的に角部が強調された立体感のあるウェーブを形成することができる。
【００２２】
（６）  パーマ用ロッドを複数対向配置して髪を挟み込むことを特徴とするパーマ用ロッドの使用方法。
【００２３】
本発明によれば、パーマ用ロッドを複数対向配置して髪を挟み込むことで、パーマセットする際の髪の位置の調整を容易にしている。
【発明の効果】
【００２４】
本発明のパーマ用ロッドは、角柱体に髪を巻き付けた際に、丸みを帯びていない角部からの応力が強くなり、従来丸みを帯びていたロッドを使用したときと比較して、リッチが異なるヘアスタイルを実現することができるという効果がある。
【図面の簡単な説明】
【００２５】
【図１】本発明の実施の形態に係るパーマ用ロッドを示す図。
【図２】本発明の実施の形態に係るパーマ用ロッドの横断面を示す図。
【図３】本発明の実施の形態に係るパーマ用ロッドを示す図。
【図４】本発明の実施の形態に係るパーマ用ロッドの使用方法を説明するための図。
【図５】本発明の実施の形態に係るパーマ用ロッドの使用例を示す図。
【図６】本発明の実施の形態に係るパーマ用ロッドを示す図。
【図７】従来の円筒状ロッドの例を示す図。
【発明を実施するための最良の形態】
【００２６】
以下、本発明の実施の形態について図面に基づいて説明する。
【００２７】
図１は、本発明の実施の形態に係るパーマ用ロッドを示す図であり、（ａ）は四角柱状のパーマ用ロッド１、（ｂ）は三角柱状のパーマ用ロッド２である。また、図３は、本発明の実施の形態に係るパーマ用ロッドを示す図であり、四角柱状の一例である平板状を呈している。なお、以下では三角柱又は四角柱を例に説明するが、角柱体であればその態様は問わない。
【００２８】
パーマ用ロッド１，２，３は、角柱体１１，２１，３１の長手方向の両端に凹部（突起部）１２，２２，３２が形成されている。なお、図１及び図３では角柱体１１，２１，３１に凹部１２，２２，３２を一体形成した単一の棒状部材を用いて説明しているが、角柱体１１，２１，３１の本体部分と凹部１２，２２，３２が形成される先端部分とは別に形成されていてもよい。
【００２９】
角柱体１１，２１，３１は、パーマ液の浸食や高温に耐え得る材質（樹脂、プラスチック等）で成形され、パーマ液の浸透や表面温度の変化により可逆的に変色可能な塗料剤等の素材が含まれる。このような素材としては、ロイコ染料、スピロピラン、サリチリデンアニリン、ポリジアセチレンなどが挙げられる。
【００３０】
表面温度の変化により可逆的に変色可能な塗料剤は、樹脂ペレットに数％〜数十％を配合して成形することで色相変化が可能となる。温度変化域は２４℃〜３３℃が好ましい。また、体温や気温などの周囲環境による一過性の変化では反応しないことが望ましく、本発明の実施の形態に係るパーマ用ロッドは、ドライヤー等の風熱を浴びて色相変化が可能である。
【００３１】
凹部１２，２２，３２は、ロッドに髪を巻き付けた後にロッドと髪を固定するための輪ゴムを渡しかけるものであり、長手方向の切欠きとなっている。
【００３２】
図２は、本発明の実施の形態に係るパーマ用ロッドの横断面を示す図であり、（ａ）は四側面が平板側面を呈する四角柱状、（ｂ）は四側面が湾曲側面を呈する四角形状、（ｃ）は対向する二側面が平板側面を、他の対向する二側面が湾曲側面を呈する四角形状、（ｄ）は三側面が平板側面を呈する三角形状、（ｅ）は三側面が湾曲側面を呈する三角形状の例を示している。また、パーマ用ロッド１，２，３は、両端が開放又は閉鎖された中空状のものであってもよい。
【００３３】
パーマ用ロッド１，２，３の角柱体の横断面の角部は、隣接する側面間と曲面を形成しない鋭角状を呈しており、角部に丸みを生じていない。また、湾曲側面は中央の幅が狭く端部につれて広くなるという凹状に湾曲していてもよい。すなわち、断面積は両端部で大きく、中央で小さくなる。
【００３４】
図３及び図６を用いてパーマ用ロッド３について説明する。なお、図６において、（ａ）は平面図及び底面図、（ｂ）は正面図及び背面図、（ｃ）は左側面図及び右側面図である。
【００３５】
平板状の角柱体（平板プレート）３１の長手方向の両端の幅広面側に凹部３２が形成されており、幅広面は平滑である。。一方、平板プレート３１の幅狭面側には凹部部は形成されておらず、幅狭面３３は凹凸である。平板プレートの寸法は種々採用することができる。
【００３６】
図４を用いてパーマ用ロッド３の使用方法を説明する。パーマ用ロッド３で髪に巻く前に、髪にシート４１を覆い被せ、髪が覆い被されたシート４１の両面を２枚のパーマ用ロッド３の幅広面側同士を対向させて挟み込む。このように、髪とシートを２枚のパーマ用ロッド３でサンドイッチした後に、髪を巻いていき、巻き終えたら輪ゴムを両端の凹部３２に渡しかけて固定する。
【００３７】
なお、図４では２枚のパーマ用ロッド３を用いた使用方法を示しているが、髪が挟み込めるような機能であればよく、２枚のパーマ用ロッド３が連結されたり、クリップのような機構をもっていたりしてもよい。また、シート４１は覆い被された髪をずらして位置調整を行いやすくするために用いる。
【００３８】
図５は、本発明の実施の形態に係るパーマ用ロッドの使用例を示す図であり、（ａ）は、パーマ用ロッド１の長手方向に沿って毛髪を螺旋状に巻き付けている状態を示し、（ｂ）はこの巻き方によって形成されたウェーブを示している。角部に丸みがないパーマ用ロッド１，２によれば、従来の丸みを帯びたウェーブと異なり、局所的に角部が強調された立体感のあるウェーブを形成することができる。
【産業上の利用可能性】
【００３９】
本発明に係るパーマ用ロッドは、従来にない新たなウェーブを実現したヘアスタイルを提供し、ウェーブのかかりにくい髪質でも対応でき、仕上がり後のウェーブがダレにくいものとして有用である。
【符号の説明】
【００４０】
１，２，３  パーマ用ロッド
１１，２１，３１  角柱体（３１は平板プレート）
１２，２２，３２  凹部
【図１】
2016116866.tif 000003
【図２】
2016116866.tif 000004
【図３】
2016116866.tif 000005
【図４】
2016116866.tif 000006
【図５】
2016116866.tif 000007
【図６】
2016116866.tif 000008
【図７】
2016116866.tif 000009